(57)【要約】【課題】通常の開閉作業時にはコネクタカバーが携帯端末本体から脱落しない一方、交換作業時にはコネクタカバーを携帯端末本体から容易に引き抜くことができるようにする。【解決手段】軸部２１の内端側における周面には、係合部２２の基端部が一体形成されている。係合部２２は、弾性変形可能に形成され、その先端部は、軸部２１の外端側に向かって斜め外方に広がるように延びている。軸部２１における係合部２２の基端部近傍には、軸部２１の周面の一部が窪んだ段差部２１ａが形成されている。【選択図】図３
2014057166.tif 000002
【特許請求の範囲】
【請求項１】
携帯端末本体に凹陥され且つ外部接続端子が露出したコネクタ用凹部を覆うためのコネクタカバーであって、
前記コネクタ用凹部に形成された挿入孔に対して挿入される軸部と、
前記軸部の外端側に設けられ、前記コネクタ用凹部の周縁と連接するように嵌め込まれるカバー本体と、
基端部が前記軸部の内端側における周面に一体形成される一方、先端部が該軸部の外端側に向かって斜め外方に広がるように延びる弾性変形可能な係合部とを備え、
前記軸部における前記係合部の基端部近傍には、該軸部の周面の一部が窪んだ段差部が形成されていることを特徴とするコネクタカバー。
【請求項２】
請求項１において、
前記軸部の内端部には、その一部が切り欠かれた切欠部が形成され、
前記係合部は、前記切欠部を挟んで前記軸部の周方向に間隔をあけて２つ設けられていることを特徴とするコネクタカバー。
【請求項３】
請求項１又は２において、
前記軸部における前記カバー本体の近傍には、該軸部の内端側に向かって先細に形成され且つ前記挿入孔に嵌め込まれる嵌合部が設けられていることを特徴とするコネクタカバー。
【請求項４】
請求項１乃至３のうち何れか１つに記載のコネクタカバーを備えたことを特徴とする携帯端末。
【請求項５】
請求項４において、
前記挿入孔の周縁から前記携帯端末本体の内部側に突出した筒状部と、
前記筒状部の周面から径方向外方に突出したリブ部とを備えたことを特徴とする携帯端末。
【発明の詳細な説明】
【技術分野】
【０００１】
本発明は、コネクタカバー及びそれを備えた携帯端末に関するものである。
【背景技術】
【０００２】
従来より、携帯端末本体に凹陥され且つ外部接続端子が露出したコネクタ用凹部を覆うためのコネクタカバーが知られている（例えば、特許文献１参照）。コネクタカバーは、コネクタ用凹部に形成された円形の挿入孔に挿入される軸部を備えている。軸部の内端側には、軸部の中間部分よりも外径が大きくなった円柱状の抜け止め部が形成されている。これにより、コネクタカバーを開いたときに抜け止め部が挿入孔に引っ掛かることで、コネクタカバーが携帯端末本体から脱落しないようになっている。
【先行技術文献】
【特許文献】
【０００３】
【特許文献１】特開２０１２−０６４３６３号公報
【発明の概要】
【発明が解決しようとする課題】
【０００４】
しかしながら、従来のコネクタカバーでは、コネクタカバーを交換する際の作業性が悪くなるという問題がある。
【０００５】
具体的に、従来のコネクタカバーでは、抜け止め部を円柱状に形成することで挿入孔に確実に引っ掛かるようにして、外部接続端子を露出させるための通常のコネクタカバーの開閉作業時に、コネクタカバーが携帯端末本体から脱落しないようになっている。
【０００６】
そして、コネクタカバーを交換する際には、コネクタカバーを無理矢理引っ張ることで、円柱状の抜け止め部を強引に弾性変形させる必要があり、この引き抜き作業中に抜け止め部がちぎれて破損するおそれがあった。
【０００７】
本発明は、かかる点に鑑みてなされたものであり、その目的は、通常の開閉作業時にはコネクタカバーが携帯端末本体から脱落しない一方、交換作業時にはコネクタカバーを携帯端末本体から容易に引き抜くことができるようにすることにある。
【課題を解決するための手段】
【０００８】
本発明は、携帯端末本体に凹陥され且つ外部接続端子が露出したコネクタ用凹部を覆うためのコネクタカバーを対象とし、次のような解決手段を講じた。
【０００９】
すなわち、第１の発明は、前記コネクタ用凹部に形成された挿入孔に対して挿入される軸部と、
前記軸部の外端側に設けられ、前記コネクタ用凹部の周縁と連接するように嵌め込まれるカバー本体と、
基端部が前記軸部の内端側における周面に一体形成される一方、先端部が該軸部の外端側に向かって斜め外方に広がるように延びる弾性変形可能な係合部とを備え、
前記軸部における前記係合部の基端部近傍には、該軸部の周面の一部が窪んだ段差部が形成されていることを特徴とするものである。
【００１０】
第１の発明では、弾性変形可能な係合部が軸部の内端側に一体形成される。係合部の先端部は、軸部の内端側における周面から軸部の外端側に向かって斜め外方に広がるように延びている。これにより、外部接続端子を露出させる通常のコネクタカバーの開閉作業時には、係合部の先端部が挿入孔の周縁部に係合することで、コネクタカバーが携帯端末本体から脱落しないようになっている。
【００１１】
また、軸部における係合部の基端部近傍に、軸部の周面の一部が窪んだ段差部が形成されているから、コネクタカバーの交換作業時には、コネクタカバーを携帯端末本体から容易に引き抜くことができる。
【００１２】
具体的に、軸部に段差部が形成されていない場合には、コネクタカバーを引き抜く際に、軸部における係合部の基端部近傍に応力が加わっても、軸部の肉厚が厚いために係合部がそれほど変形しない。そのため、コネクタカバーを無理矢理引っ張って係合部を強引に弾性変形させる必要があり、この引き抜き作業中に係合部がちぎれて破損するおそれがある。
【００１３】
これに対し、本発明では、軸部における係合部の基端部近傍に段差部を形成することでこの部分の軸部の肉厚を薄くしたから、コネクタカバーを無理矢理引っ張らなくても、通常の開閉作業時に加える引っ張り力よりも多少強い力で引っ張るだけで、係合部を大きく変形させることができるので、コネクタカバーをスムーズに引き抜いて交換作業を行うことができる。
【００１４】
第２の発明は、第１の発明において、
前記軸部の内端部には、その一部が切り欠かれた切欠部が形成され、
前記係合部は、前記切欠部を挟んで前記軸部の周方向に間隔をあけて２つ設けられていることを特徴とするものである。
【００１５】
第２の発明では、コネクタカバーを引き抜く際に、係合部の先端部がカバー本体とは反対方向を向くように弾性変形するとともに、切欠部の隙間も狭くなる。これにより、係合部の変形量がさらに大きくなるため、コネクタカバーをスムーズに引き抜いて交換作業を行うことができる。
【００１６】
第３の発明は、第１又は第２の発明において、
前記軸部における前記カバー本体の近傍には、該軸部の内端側に向かって先細に形成され且つ前記挿入孔に嵌め込まれる嵌合部が設けられていることを特徴とするものである。
【００１７】
第３の発明では、カバー本体をコネクタ用凹部に嵌め込む際に、軸部の嵌合部が挿入孔に嵌め込まれるため、コネクタカバーを確実に携帯端末本体に取り付けることができる。
【００１８】
第４の発明は、携帯端末は、第１乃至第３の発明のうち何れか１つに記載のコネクタカバーを備えたことを特徴とするものである。
【００１９】
第４の発明では、通常の開閉作業時にはコネクタカバーが携帯端末本体から脱落しない一方、交換作業時にはコネクタカバーを携帯端末本体から容易に引き抜くことができる携帯端末が得られる。
【００２０】
第５の発明は、第４の発明において、
前記挿入孔の周縁から前記携帯端末本体の内部側に突出した筒状部と、
前記筒状部の周面から径方向外方に突出したリブ部とを備えたことを特徴とするものである。
【００２１】
第５の発明では、通常のコネクタカバーの開閉作業時には、係合部が筒状部の周縁に引っ掛かって係合された状態となり、コネクタカバーが携帯端末本体から脱落しないようになっている。そして、コネクタカバーの交換作業時には、軸部を周方向に回転させて係合部の先端部をリブ部の端部に当接させた状態とすることで、コネクタカバーを引き抜く際に係合部の先端部に応力が集中して弾性変形しやすくなり、コネクタカバーをスムーズに引き抜いて交換作業を行うことができる。
【発明の効果】
【００２２】
本発明によれば、外部接続端子を露出させる通常のカバー本体の開閉作業時には、係合部の先端部が挿入孔の周縁部に係合することで、コネクタカバーが携帯端末本体から脱落しないようになっている。
【００２３】
また、軸部における係合部の基端部近傍に段差部を形成することでこの部分の軸部の肉厚を薄くしたから、コネクタカバーを無理矢理引っ張らなくても、通常の開閉作業時に加える引っ張り力よりも多少強い力で引っ張るだけで、係合部を大きく変形させることができるので、コネクタカバーをスムーズに引き抜いて交換作業を行うことができる。
【図面の簡単な説明】
【００２４】
【図１】本発明の実施形態１に係る携帯電話機を正面側から見たときの構成を示す斜視図である。
【図２】携帯電話機を背面側から見たときの構成を示す斜視図である。
【図３】コネクタカバーを閉じたときの構成を示す平面断面図である。
【図４】コネクタカバーを開いたときの構成を示す図３相当図である。
【図５】コネクタカバーの構成を示す斜視図である。
【図６】本実施形態２に係るコネクタカバー周辺の構成を示す平面断面図である。
【図７】コネクタカバーの係合部が弾性変形したときの図６相当図である。
【図８】本実施形態３に係るコネクタカバー周辺の構成を示す平面断面図である。
【図９】図８のＡ−Ａ矢視図である。
【図１０】係合部の先端部をリブ部に当接させた状態を示す図９相当図である。
【図１１】図１０のＢ−Ｂ矢視断面図である。
【図１２】その他の実施形態に係るコネクタカバーの構成を示す平面断面図である。
【図１３】その他の実施形態に係るコネクタカバーの構成を示す斜視図である。
【発明を実施するための形態】
【００２５】
以下、本発明の実施形態を図面に基づいて説明する。なお、以下の好ましい実施形態の説明は、本質的に例示に過ぎず、本発明、その適用物或いはその用途を制限することを意図するものではない。
【００２６】
《実施形態１》
図１及び図２は、本実施形態にかかる携帯端末としての携帯電話機１０を示し、この携帯電話機１０は、タッチパネル１２が表面側に嵌め込まれた携帯端末本体としての電話機本体１３を備えている。電話機本体１３は、四隅が丸められた板状の形態を有し、タッチパネル１２が嵌め込まれる正面側キャビネット１３ａと、この正面側キャビネット１３ａの背面側を覆う背面側キャビネット１３ｂとを有する。正面側キャビネット１３ａと背面側キャビネット１３ｂとの間の合わせ面１３ｃにおける正面から見て左側には、コネクタ用凹部１６が設けられている。
【００２７】
図３及び図４に断面で示すように、コネクタ用凹部１６の内部には、外部接続端子としてのＵＳＢ端子１５が露出している。ＵＳＢ端子１５を使用しないときには、コネクタ用凹部１６は、コネクタカバー２０で覆われている。
【００２８】
図５にも示すように、コネクタカバー２０は、コネクタ用凹部１６に形成された円形の挿入孔１６ａに挿入される円柱状の軸部２１を備えている。軸部２１は、コネクタ用凹部１６の周縁表面と略垂直に（携帯電話機１０の右方向に）挿入されるようになっている。
【００２９】
軸部２１の内端側には、軸部２１の周方向に間隔をあけて２つの係合部２２が設けられている。具体的に、係合部２２の基端部は、軸部２１の内端側における周面に一体形成されている。係合部２２の先端部は、軸部２１の外端側に向かって斜め外方に広がるように延びている。また、軸部２１における係合部２２の基端部近傍には、軸部２１の周面の一部が窪んだ段差部２１ａが形成されている。
【００３０】
軸部２１の外端側には、矩形板状のカバー本体２５が一体に連結されている。カバー本体２５は、コネクタ用凹部１６の周縁と連接するように嵌め込まれる。軸部２１におけるカバー本体２５の近傍には、軸部２１の内端側に向かって先細に形成され且つ挿入孔１６ａに嵌め込まれる嵌合部２３が設けられている。
【００３１】
また、カバー本体２５における軸部２１と反対側には、コネクタ用凹部１６の係合孔１６ｂに挿入される鉤部２６が形成されている。この鉤部２６の先端の引っ掛かけ部分は、軸部２１と反対側に延びている。
【００３２】
ここで、軸部２１、係合部２２、及びカバー本体２５は、弾性材料としての熱可塑性ポリウレタンエラストマーによって一体成形されている。そして、カバー本体２５に指先や爪を引っ掛けて引き出すと、カバー本体２５がコネクタ用凹部１６から飛び出し、ＵＳＢ端子１５が露出するように構成されている。
【００３３】
−コネクタカバーの使用方法−
次に、本実施形態にかかるコネクタカバー２０の使用方法について説明する。
【００３４】
ＵＳＢ端子１５を使用しないときは、図３に示すように、軸部２１が挿入孔１６ａに挿入され、鉤部２６が係合孔１６ｂに係止されることで、コネクタカバー２０がＵＳＢ端子１５を密閉している。このとき、カバー本体２５の表面高さとコネクタ用凹部１６周縁の表面高さとが略同一となり、表面が連続したように見えて見映えがよいとともに、埃が溜まりにくくなっている。
【００３５】
ＵＳＢ端子１５を用いるときには、指先や爪を引っ掛けてカバー本体２５を引き出すことで、鉤部２６と係合孔１６ｂとの係止状態が解除される。そして、カバー本体２５を指でつまんで引っ張ると、係合部２２の先端部が挿入孔１６ａの周縁に当接する。これにより、通常のコネクタカバー２０の開閉作業時には、コネクタカバー２０が電話機本体１３から脱落しないようになっている。この状態でカバー本体２５を回転させてＵＳＢ端子を露出させることができる。
【００３６】
なお、コネクタカバー２０の交換作業時には、通常の開閉作業時に加える引っ張り力よりも多少強い力でカバー本体２５を引っ張るだけで、コネクタカバー２０をスムーズに引き抜くことができる。
【００３７】
具体的に、軸部２１における係合部２２の基端部近傍には、段差部２１ａが形成されているので、この部分の軸部２１の肉厚が薄くなっている。そのため、コネクタカバー２０を無理矢理引っ張らなくても、係合部２２を大きく変形させることができるので、この引き抜き作業中に係合部２２がちぎれて破損するのを軽減できる。
【００３８】
《実施形態２》
図６に示すように、軸部２１の内端部には、その一部が切り欠かれた切欠部２１ｂが形成されている。切欠部２１ｂは、その断面がＶ字状に形成されている。係合部２２は、切欠部２１ｂを挟んで軸部２１の周方向に間隔をあけて２つ設けられている。軸部２１における係合部２２の基端部近傍には、軸部２１の周面の一部が窪んだ段差部２１ａが形成されている。
【００３９】
ここで、コネクタカバー２０を引き抜く際には、図７に示すように、係合部２２の先端部がカバー本体２５とは反対方向を向くように弾性変形するとともに、切欠部２１ｂの隙間も狭くなる。これにより、係合部２２の変形量がさらに大きくなるため、コネクタカバー２０をスムーズに引き抜いて交換作業を行うことができる。
【００４０】
《実施形態３》
図８及び図９に示すように、コネクタ用凹部１６の挿入孔１６ａの周縁には、正面側キャビネット１３ａの内部側に突出した筒状部１７が設けられている。筒状部１７の周面には、径方向外方に突出したリブ部１８が周方向に間隔をあけて２つ設けられている。筒状部１７及びリブ部１８は、正面側キャビネット１３ａに一体形成されている。
【００４１】
ここで、コネクタカバー２０の通常の開閉作業時には、係合部２２が筒状部１７の周縁に引っ掛かって係合された状態となり、コネクタカバー２０が脱落しないようになっている。そして、コネクタカバー２０の交換作業時には、図１０及び図１１に示すように、軸部２１を周方向に回転させて係合部２２の先端部をリブ部１８の端部に当接させた状態とする。これにより、コネクタカバー２０を引き抜く際に係合部２２の先端部に応力が集中して弾性変形しやすくなり、コネクタカバー２０をスムーズに引き抜いて交換作業を行うことができる。
【００４２】
《その他の実施形態》
前記実施形態については、以下のような構成としてもよい。
【００４３】
本実施形態では、軸部２１の周方向に間隔をあけて２つの係合部２２を設けた構成としたが、図１２に示すように、軸部２１の内端側に係合部２２を１つのみ設けた構成としてもよい。
【００４４】
また、本実施形態では、係合部２２の先端部を軸部２１の外端側に向かって斜め外方に広がるように延ばすことで、係合部２２の先端部が段差部２１ａよりも外端側に位置している構成としたが、図１３に示すように、係合部２２の先端部を軸部２１の径方向外方に張り出させた構成としてもよい。
【００４５】
また、本実施形態では、外部接続端子をＵＳＢ端子１５としたが、イヤホン端子、充電端子等としてもよく、特に制限はない。
【００４６】
また、本実施形態では、携帯端末は、携帯電話機としたが、ＰＨＳ（Personal Handy-phone System ）、ＰＤＡ(Personal Digital Assistant)、パソコン、モバイルツール、電子辞書、電卓、ゲーム機等であってもよい。
【産業上の利用可能性】
【００４７】
以上説明したように、本発明は、携帯端末本体に凹陥され且つ外部接続端子が露出したコネクタ用凹部を覆うためのコネクタカバー及びそれを備えた携帯端末について有用である。
【符号の説明】
【００４８】
１０    携帯電話機（携帯端末）
１３    電話機本体（携帯端末本体）
１５    ＵＳＢ端子（外部接続端子）
１６    コネクタ用凹部
１６ａ  挿入孔
１７    筒状部
１８    リブ部
２０    コネクタカバー
２１    軸部
２１ａ  段差部
２１ｂ  切欠部
２２    係合部
２３    嵌合部
２５    カバー本体
【図１】
2014057166.tif 000003
【図２】
2014057166.tif 000004
【図３】
2014057166.tif 000005
【図４】
2014057166.tif 000006
【図５】
2014057166.tif 000007
【図６】
2014057166.tif 000008
【図７】
2014057166.tif 000009
【図８】
2014057166.tif 000010
【図９】
2014057166.tif 000011
【図１０】
2014057166.tif 000012
【図１１】
2014057166.tif 000013
【図１２】
2014057166.tif 000014
【図１３】
2014057166.tif 000015